(57)【要約】【課題】冷凍室と冷蔵室にそれぞれ冷却器を設け、製氷室と切替室と冷凍室の間に野菜室がある庫内構成の冷蔵庫において、冷凍温度帯用冷却器から発生する冷気を製氷室や切替室に十分な風量で供給する冷蔵庫を提供する。【解決手段】切替室２１と製氷室２４の内部に、切替室用ファン３６、製氷室用ファン３８、切替室用ダンパ装置４０ａ、製氷室用ダンパ装置４０ｂをそれぞれ設け、これらを各室に配置している各温度センサを用いて制御することにより、冷凍室２２と切替室２１と製氷室２４をそれぞれ独立して冷却することができる。【選択図】図４
2005172298.tif 000002
【特許請求の範囲】
【請求項１】
冷蔵庫本体上部に設けられた冷蔵室と前記冷蔵室後方に冷蔵温度帯用冷却器を有する冷蔵室用冷却器室と、前記冷蔵温度帯用冷却器で生成する冷気を各室に送る冷蔵室用冷却器ファンと、前記冷蔵室の下部に設けられ冷凍温度帯から冷蔵温度帯を切替可能な切替室と製氷室を断熱仕切壁にて左右に区画し、冷蔵庫本体下部に設けられた冷凍室と、前記冷凍室後方に冷凍温度帯用冷却器を有する冷凍室用冷却器室と、前記冷凍温度帯用冷却器で生成する冷気を各室に送る冷凍室用冷却器ファンと、前記切替室・製氷室と前記冷凍室の間に野菜等を収納する野菜室と、前記冷凍温度帯用冷却器から各室に冷気を送るため、前記切替室と製氷室への風路と、前記風路内にそれぞれのダンパ装置とファンを備えた冷蔵庫であって、冷凍温度帯用冷却器の状態とは独立して切替室・製氷室に備えた温度検知手段により各々のファンとダンパ装置の動作を決定する手段を備えたことを特徴とする冷蔵庫の制御方法。
【請求項２】
圧縮機停止中も前記ダンパ装置を開きかつ製氷室ファンもしくは切替室ファンを運転することができることを特徴とする請求項１に記載の冷蔵庫の制御方法。
【請求項３】
冷凍室を冷却していない時には、冷凍室ファンは停止しているが、それ以外のファンおよびダンパを独立して制御することができることを特徴とする請求項１または請求項２に記載の冷蔵庫の制御方法。
【請求項４】
冷凍温度帯用冷却器の冷却開始の判定は、冷凍室温度センサまたは、製氷室温度センサまたは、切替室温度センサのいずれかが、圧縮機動作開始温度以上の場合とし、冷凍室の冷却終了の判定は、冷却室温度センサと製氷室温度センサと切替室温度センサの全てが所定温度以下もしくは、一定時間以上経過した場合とすることを特徴とする請求項１から３のいずれか一項に記載の冷蔵庫の制御方法。
【請求項５】
冷凍室温度センサが圧縮機停止温度以下で、切換室温度センサまたは、製氷室温度センサのいずれかが圧縮機停止温度以上の場合に、冷凍室用冷却器ファンが停止していても、切換室ダンパまたは、製氷室ダンパが動作し、切換室ファンまたは、製氷室ファンが運転を行い、引き続き冷却運転をすることを特徴とする請求項１から４のいずれか一項に記載の冷蔵庫の制御方法。
【請求項６】
冷凍温度帯用冷却器の除霜時は、冷凍室用冷却器ファンを停止させ、製氷室用ダンパ・切替室用ダンパの両方とも閉とすることを特徴とする請求項１から５のいずれか一項に記載の冷蔵庫の制御方法。
【発明の詳細な説明】
【技術分野】
【０００１】
本発明は、本体上部に冷蔵室、下部に冷凍室を設け、この間に切替室、野菜室を有し、複数の冷却器を備えた冷蔵庫における制御方法に関するものである。
【背景技術】
【０００２】
近年、従来の冷蔵庫においては上部から冷蔵室、切替室、野菜室そして冷凍室を設け、切替室、野菜室、冷凍室の後方にこれら３室に跨って備えられた冷却室を有し、前記冷凍室の内部に冷凍室ファン以外に攪拌用送風機を設け、この動作時間や回転数を圧縮機や室内温度センサ、製氷装置の動作に合わせて制御することによって通常運転、通常製氷運転、急速冷凍運転の時間を従来より短縮できる冷蔵庫の制御方法が提案されている。（例えば、特許文献１参照）
以下、図面を参照しながら上記従来の冷蔵庫の制御方法を説明する。
【０００３】
図１２は従来の冷蔵庫の斜視図である。図１３は従来の冷蔵庫の製氷室及び冷凍室の破断正面図である。
【０００４】
図１２において、冷蔵庫本体８０には上方から冷蔵室８１、製氷室８２、冷凍室８３及び野菜室８４が設けられている。また、製氷室８２の右側には、庫内温度を調節することができる切換室８５が設けられている。
図１３に示すように、製氷室８２及び冷凍室８３は１つの空間を形成しており、この空間の上部に製氷室８２・切替室８５が設けられ、下部に冷凍室８３が設けられている。この製氷室８２及び冷凍室内の冷気を攪拌するために攪拌用送風機８６が冷凍温度帯冷却器用ファン８７の他に配置されていている。
【０００５】
以上のように構成された冷蔵庫について、以下その制御動作を説明する。
【０００６】
前記冷凍室温度検知手段が検知した冷凍室温度により、前記攪拌用送風機８６の回転数を変化させている。また、冷却器ヒータによって冷却器を加熱して除霜を行なう除霜運転中に前記攪拌用送風機８６の回転数を下げている。
【特許文献１】特開平１１−２２３４４６号公報
【発明の開示】
【発明が解決しようとする課題】
【０００７】
しかしながら、上記のような構造では次のような問題点があった。
【０００８】
製氷室と切替室と冷凍室の間に野菜室がある庫内構成の冷蔵庫において、冷凍温度帯用冷却器から発生する冷気を製氷室や切替室に十分な風量で供給することができないという欠点があった。
【０００９】
また、上記従来制御の方法では、上記庫内構成において製氷室庫内温度の適正な温度を保つため、製氷室への風量を上げるために攪拌用送風機８６の回転数を上げることをするために冷凍室と製氷室との冷却バランスが悪化してしまうという欠点があった。
【００１０】
また、除霜時に冷却器ヒータを通電していると冷凍室庫内と製氷室や切替室とを遮断する方法がないので、製氷室や切替室の昇温が大きくなるという欠点があった。
【００１１】
本発明は従来の課題を解決するもので、製氷室と切替室を適正温度で制御し、同時に冷却バランスを悪化させずに冷凍室庫内温度も適正化できる冷蔵庫の制御方法を供給することを目的とする。
【００１２】
また、ダンパを製氷室と切替室の各庫内に配置する事により除霜時の庫内温度の上昇を抑えることができるので、庫内温度変化幅を低減させることを目的とする。
【課題を解決するための手段】
【００１３】
上記課題を解決するため、本発明は、冷蔵庫本体上部に設けられた冷蔵室と前記冷蔵室後方に冷蔵温度帯用冷却器を有する冷蔵室用冷却器室と、前記冷蔵温度帯用冷却器で生成する冷気を各室に送る冷蔵室用冷却器ファンと、前記冷蔵室の下部に設けられ冷凍温度帯から冷蔵温度帯を切替可能な切替室と製氷室を断熱仕切壁にて左右に区画し、冷蔵庫本体下部に設けられた冷凍室と、前記冷凍室後方に冷凍温度帯用冷却器を有する冷凍室用冷却器室と、前記冷凍温度帯用冷却器で生成する冷気を各室に送る冷凍室用冷却器ファンと、前記切替室・製氷室と前記冷凍室の間に野菜等を収納する野菜室と、前記冷凍温度帯用冷却器から各室に冷気を送るため、前記切替室と製氷室への風路と、前記風路内にそれぞれのダンパ装置とファンを備えた冷蔵庫であって、冷凍温度帯用冷却器の状態とは独立して切替室・製氷室に備えた温度検知手段により各々のファンとダンパ装置の動作を決定する手段を備えたものであり、上記の庫内構成であっても冷凍温度帯用冷却器から発生する冷気を製氷室や切替室に十分な風量で供給することが可能になり、必要な温度に早く達することができる。
【発明の効果】
【００１４】
本発明によれば、冷蔵庫本体上部に設けられた冷蔵室と前記冷蔵室後方に冷蔵温度帯用冷却器を有する冷蔵室用冷却器室と、前記冷蔵温度帯用冷却器で生成する冷気を各室に送る冷蔵室用冷却器ファンと、前記冷蔵室の下部に設けられ冷凍温度帯から冷蔵温度帯を切替可能な切替室と製氷室を断熱仕切壁にて左右に区画し、冷蔵庫本体下部に設けられた冷凍室と、前記冷凍室後方に冷凍温度帯用冷却器を有する冷凍室用冷却器室と、前記冷凍温度帯用冷却器で生成する冷気を各室に送る冷凍室用冷却器ファンと、前記切替室・製氷室と前記冷凍室の間に野菜等を収納する野菜室と、前記冷凍温度帯用冷却器から各室に冷気を送るため、前記切替室と製氷室への風路と、前記風路内にそれぞれのダンパ装置とファンを備えたことを特徴とする冷蔵庫であって、冷凍温度帯用冷却器の状態とは独立して切替室・製氷室に備えた温度検知手段により各々のファンとダンパ装置の動作を決定する手段を備えたものであり、上記の庫内構成であっても冷凍温度帯用冷却器から発生する冷気を製氷室や切替室に十分な風量で供給することが可能になり、必要な温度に早く達することができる。
【発明を実施するための最良の形態】
【００１５】
請求項１に記載の発明は、冷蔵庫本体上部に設けられた冷蔵室と前記冷蔵室後方に冷蔵温度帯用冷却器を有する冷蔵室用冷却器室と、前記冷蔵温度帯用冷却器で生成する冷気を各室に送る冷蔵室用冷却器ファンと、前記冷蔵室の下部に設けられ冷凍温度帯から冷蔵温度帯を切替可能な切替室と製氷室を断熱仕切壁にて左右に区画し、冷蔵庫本体下部に設けられた冷凍室と、前記冷凍室後方に冷凍温度帯用冷却器を有する冷凍室用冷却器室と、前記冷凍温度帯用冷却器で生成する冷気を各室に送る冷凍室用冷却器ファンと、前記切替室・製氷室と前記冷凍室の間に野菜等を収納する野菜室と、前記冷凍温度帯用冷却器から各室に冷気を送るため、前記切替室と製氷室への風路と、前記風路内にそれぞれのダンパ装置とファンを備えた冷蔵庫であって、冷凍温度帯用冷却器の状態とは独立して切替室・製氷室に備えた温度検知手段により各々のファンとダンパ装置の動作を決定する手段を備えたものであり、上記の庫内構成であっても冷凍温度帯用冷却器から発生する冷気を製氷室や切替室に十分な風量で供給することが可能になり、必要な温度に早く達することができる。
【００１６】
請求項２に記載の冷蔵庫の制御方法は、請求項１に記載の発明に、さらに、圧縮機停止中も前記ダンパ装置を開きかつ製氷室ファンもしくは切替室ファンを運転することができるものであり、圧縮機が停止している時でも、製氷室や切替室の温度を独立して制御できる。
【００１７】
請求項３に記載の冷蔵庫の制御方法は、請求項１または請求項２に記載の発明に、さらに、冷凍室を冷却していない時には、冷凍室ファンは停止しているが、それ以外のファンおよびダンパを独立して制御することができるものであり、冷凍室庫内温度が低くなっている時でも、製氷室や切替室の温度を独立して制御できる。
【００１８】
請求項４に記載の冷蔵庫の制御方法は、請求項１から３のいずれか一項に記載の発明において、冷凍温度帯用冷却器の冷却開始の判定は、冷凍室温度センサまたは、製氷室温度センサまたは、切替室温度センサのいずれかが、圧縮機動作開始温度以上の場合とし、冷凍室の冷却終了の判定は、冷却室温度センサと製氷室温度センサと切替室温度センサの全てが所定温度以下もしくは、一定時間以上経過した場合とすることができるものであり、製氷室温度センサと切替室温度センサを用いることにより、製氷室と切替室と冷凍室をそれぞれ独立して冷却が可能になり、冷却バランスを良くすることができる。
【００１９】
請求項５に記載の冷蔵庫の制御方法は、請求項１から４のいずれか一項に記載の発明において、冷凍室温度センサが圧縮機停止温度以下で、切換室温度センサまたは、製氷室温度センサのいずれかが圧縮機停止温度以上の場合に、冷凍室用冷却器ファンが停止していても、切換室ダンパまたは、製氷室ダンパが動作し、切換室ファンまたは、製氷室ファンが運転を行い、引き続き冷却運転をすることができるものであり、冷凍室庫内温度が低く、製氷室や切替室の庫内温度が高い場合でも、温度が高い部屋だけを冷却することができるので、冷却バランスを崩すことなく庫内温度を制御できる。
【００２０】
請求項６に記載の冷蔵庫の制御方法は、請求項１から５のいずれか一項に記載の発明において、冷凍温度帯用冷却器の除霜時は、冷凍室用冷却器ファンを停止させ、製氷室用ダンパ・切替室用ダンパの両方とも閉とすることができるものであり、これにより製氷室や切替室に霜取り用ヒータで暖められた空気が循環する事を抑えられるので、製氷室や切替室の温度上昇を抑える。
【００２１】
以下、本発明の実施の形態について、図面を参照しながら説明する。なお、従来と同一構成については、同一符号を付して詳細な説明を省略する。また、この実施の形態によってこの発明が限定されるものではない。
【００２２】
（実施の形態１）
図２は、本発明の実施の形態１による冷蔵庫の正面図である。図１は同実施の形態による冷蔵庫の冷却サイクル及び冷蔵庫の概略図である。図２において１０は冷蔵庫本体であり冷蔵庫本体１０の最上部に開閉ドアを備えた冷蔵室２０と、冷蔵室２０の下方に配置される引出しドアを備えた切替室２１と、冷蔵庫本体１０の最下部に配置される引出しドアを備えた冷凍室２２と、切替室２１と冷凍室２２の間に引出しドアを備えた野菜室２３と、引き出しドアを備えた製氷室２４は、切替室２１と断熱仕切壁２５により左右に仕切られて構成されている。
【００２３】
切替室２１は冷凍温度帯から冷蔵温度帯まで温度を調節設定することができ、冷凍温度帯に設定した場合、通常の冷凍室と同様に急速冷凍運転を実行することができ、食品をすばやく冷凍することができる機能や、ビールやジュースなどの缶物を常温状態から冷蔵温度帯まですばやく冷す急冷機能等も備えている。
【００２４】
図１より冷蔵室２０後方には冷蔵温度帯用冷却器３０が配置され、その上部には冷蔵室用冷却器ファン３１が配置し、冷蔵室用冷却器室３２を形成している。
【００２５】
また冷凍室２２の後方には冷凍温度帯用冷却器３３があり、配置されている。冷凍温度帯用冷却器３３の上部に配置した冷凍室用冷却器ファン３４であり冷凍室用冷却器室３５を形成する。
【００２６】
また、切替室２１の後方には切替室冷却用の切替室風路３６が配置され、その内部には切替室用冷却器ファン３７を配置している。同様に製氷室２４の後方には製氷室冷却用の製氷室風路３８が配置され、その内部には製氷室用冷却器ファン３９を配置している。前記切替室２１と製氷室２４の庫内温度をさらに高精度に制御するために、切替室用風路３６・製氷室用風路３８と冷凍室用冷却器室３５をつなぐ位置にツインダンパ４０を配置し、切替室用ダンパ装置４０ａ・製氷室用ダンパ装置４０ｂを有する。
【００２７】
また、各冷却室の温度を検知するために、冷蔵室２０に冷蔵室温度センサ４１、切替室２１に切替室温度センサ４２、冷凍室２２に冷凍室温度センサ４３、製氷室２４に製氷室温度センサ４４を配置している。これにより、庫内の温度を逐次検出することが可能になっている。
【００２８】
また冷却システム回路については、冷蔵庫本体１０の下部後方には冷凍サイクルを構成する圧縮機４５、凝縮器４６がそれぞれ配置され、圧縮機４５から吐出された冷媒は凝縮器４６を通った後、三方弁４７の冷媒切替機構によって並列に冷蔵温度帯用冷却器３０と冷凍温度帯用冷却器３３を接続し、前記三方弁４７によって冷媒流路が冷蔵室２０後方に配置された冷蔵温度帯用冷却器３０側と冷凍室２２後方に配置された冷凍温度帯用冷却器３３側に交互に切り替えられる回路となっている。
【００２９】
図３に示すように、切替室と製氷室と冷凍室の冷気の流れについて説明する。冷凍温度帯用冷却器３３から生成された冷気は冷凍室用冷却器ファン３４により冷凍室２２内に送風させる事ができる。また、この冷気は切替室用風路３７と製氷室用風路３９を通り、それぞれ切替室用ファン３６と製氷室用ファン３８により切替室２１と製氷室２４に送風することができる。ここで、切替室２１と製氷室２４への冷気は、切替室用ダンパ装置４０ａと切替室用ダンパ装置４０ｂのダンパ開閉により送風の開始と停止ができる。切替室用ダンパ装置４０ａが閉じた状態でも、切替室用ファン３６を回転させることで切替室循環風路４８を通して、切替室２１庫内を均一に冷却することができる。同様に製氷室用ダンパ装置４０ｂが閉じた状態でも、製氷室用ファン３８を回転させることで製氷室循環回路４９を通して、製氷室２４庫内を均一に冷却することができる。切替室２１・製氷室２４を通った冷気は切替室用戻り風路５０・製氷室用戻り風路５１を通って、冷凍温度帯用冷却器３３に戻るように風路構成されている。
【００３０】
上記構成の冷蔵庫１０の電気系統のブロック図について、図４に基づいて説明する。この冷蔵庫１０の制御を行うのは制御装置５５であり、これはマイコンよりなり、この制御装置５５には、図４が示すように、次のものが接続されている。送風機の関係について説明する。冷蔵室用冷却器ファン３１、冷凍室用冷却器ファン３４、切替室用ファン３６、製氷室用ファン３８が接続されている。これら各送風機は、ＰＷＭ駆動により回転数を制御することができる。温度センサについて説明する。冷蔵室２０の温度を検出する冷蔵室用温度センサ４１、切替室２１の温度を検出する切替室用温度センサ４２、冷凍室２２の温度を検出する冷凍室用温度センサ４３、製氷室２４の温度を検出する製氷室用温度センサ４４とが接続されている。これらのもの以外にも制御装置５５には次のものが接続されている。冷蔵室２０と冷凍室２２の冷却を切り替えるための所定時間で切り替える時間積算タイマ５６、冷凍温度帯用冷却器３３を加熱して除霜を行うための除霜ヒータ６０が接続されている。
【００３１】
以上のように構成された制御装置５５における冷蔵庫１０の運転の制御状態を説明する。
【００３２】
この運転の状態としては、通常運転、除霜運転がある。通常運転の時には、各温度センサの値を監視して、圧縮機４５、切替室用ダンパ装置４０ａ、製氷室用ダンパ装置４０ｂ、冷凍室用冷却器ファン３４、切替室用ファン３６、製氷室用ファン３８を制御する。まず、切替室用ファン３６の制御状態について説明する。図５に示すように、切替室用ファン３６は、切替室温度センサ４２の温度を検知して、切替室用ファン停止温度Ｔｓｆｏｆｆ６１以下になると切替室用ファンの運転を停止させ、切替室用ファン運転温度Ｔｓｆｏｎ６２以上になると切替室用ファンの運転を開始する。これによって、切替室２１に冷気を送ることや冷気の攪拌ができる。
【００３３】
なお、図７に示すように、製氷室用ファン３８は、製氷室温度センサ４４の温度を検知して、製氷室用ファン停止温度Ｔｉｆｏｆｆ６３以下になると製氷室用ファンの運転を停止させ、製氷室用ファン運転温度Ｔｉｆｏｎ６４以上になると製氷室用ファンの運転を開始する。これによって、製氷室２４に冷気を送ることや冷気の攪拌ができる。
【００３４】
なお、図９に示すように、冷凍室用冷却器ファン３４は、冷凍室温度センサ４３の温度を検知して、冷凍室用ファン停止温度Ｔｆｆｏｆｆ６５以下になると冷凍室用冷却器ファン３４の運転を停止させ、冷凍室用ファン運転温度Ｔｆｆｏｎ６６以上になると冷凍室用ファン３４の運転を開始する。また、冷凍室２２の冷却が可能になる。
【００３５】
切替室用ダンパ装置４０ａの制御状態について説明する。図６に示すように、切替室用ダンパ装置４０ａは、切替室温度センサ４２の温度を検知して、切替室用ダンパ装置全閉温度Ｔｓｏｆｆ６７以下になると切替室用ダンパ装置４０ａのダンパを全閉にさせ、切替室用ダンパ装置ファン開放温度Ｔｓｏｎ６８以上になると切替室用ダンパ装置４０ａの運転を開始する。これによって、切替室２１に冷凍温度帯用冷却器３３からの冷気を送ることができる。
【００３６】
なお、図８に示すように、製氷室用ダンパ装置４０ｂは、製氷室温度センサ４４の温度を検知して、製氷室用ダンパ装置全閉温度Ｔｉｏｆｆ６９以下になると製氷室用ダンパ装置４０ｂのダンパを全閉にさせ、製氷室用ダンパ装置ファン開放温度Ｔｉｏｎ７０以上になると製氷室用ダンパ装置４０ｂの運転を開始する。これによって、製氷室２４に冷凍温度帯用冷却器３３からの冷気を送ることができる。これらの切替室用ダンパ装置４０ａ、製氷室用ダンパ装置４０ｂ、冷凍室用冷却器ファン３４、切替室用ファン３６、製氷室用ファン３８は、それぞれの冷却室の温度センサの温度により動作するので、他のセンサ温度に依存をせず、それぞれ独立して動作を行うことが可能になる。これによって、図２の庫内構成であっても冷凍温度帯用冷却器３３から発生する冷気を製氷室２４や切替室２１に十分な風量で供給することが可能になり、切替室２１や製氷室２４の必要な温度に早く達することができる。
【００３７】
図１０に示すように、切替室２１と冷凍室２２と製氷室２４の各温度が所定の温度以下になっているため圧縮機４５が停止している状態でも、製氷室用ダンパ装置４０ｂが開放の状態で、製氷室温度センサ４４の温度が製氷室用ダンパ装置ファン全閉温度Ｔｉｏｆｆ６９以上の時、製氷室用ダンパ装置４０ｂ開放を継続する。また、製氷室用ファン３８も運転状態で、製氷室温度センサ４４の温度が製氷室用ファン停止温度Ｔｉｆｏｆｆ６３以上ならば、製氷室用ファンの運転を継続する。これによって、圧縮機４５が停止する冷凍室が冷えた状態でも、製氷室２４に冷凍温度帯用冷却器３３からの冷気を送ることができ、製氷室２４を独立して冷却することができる。
【００３８】
なお、切替室２１の温度が高い状態を継続している場合も同様で、切替室２１と冷凍室２２と製氷室２４の各温度が所定の温度以下になっているため圧縮機４５が停止している状態でも、切替室用ダンパ装置４０ａが開放の状態で、切替室温度センサ４２の温度が切替室用ダンパ装置ファン全閉温度Ｔｓｏｆｆ６７以上の時、切替室用ダンパ装置４０ａ開放を継続する。また、切替室用ファン３６も運転状態で、切替室温度センサ４２の温度が切替室用ファン停止温度Ｔｓｆｏｆｆ６１以上ならば、切替室用ファンの運転を継続する。これによって、圧縮機４５が停止する冷凍室が冷えた状態でも、切替室２１に冷凍温度帯用冷却器３３からの冷気を送ることができ、切替室２１を独立して冷却することができる。
【００３９】
なお、切替室２１と製氷室２４の温度が共に高い状態を継続している場合も同様で、切替室２１と冷凍室２２と製氷室２４の各温度が所定の温度以下になっているため圧縮機４５が停止している状態でも、切替室用ダンパ装置４０ａ・製氷室用ダンパ装置４０ｂが開放の状態で、各温度センサの温度がダンパ装置ファン全閉温度Ｔｓｏｆｆ６７・Ｔｉｏｆｆ６９以上の時、切替室用ダンパ装置４０ａ・製氷室用ダンパ装置４０ｂ開放を継続する。また、切替室用ファン３６・製氷室用ファン３８も運転状態で、切替室温度センサ４２・製氷室温度センサ４４の温度がファン停止温度Ｔｓｆｏｆｆ６１・Ｔｉｆｏｆｆ６３以上ならば、切替室用ファン３６・製氷室用ファン３８の運転を継続する。これによって、圧縮機４５が停止する冷凍室が冷えた状態でも、冷凍温度帯用冷却器３３からの冷気を送ることができ、切替室２１・製氷室２４を独立して冷却することができる。
【００４０】
なお、冷凍室２２が所定温度以下で、かつ、冷蔵室２０が所定温度以上の温度となっている時、冷蔵温度帯用冷却器３０の方に冷媒が流れていて、冷凍室２２が冷却されていない状態において、冷凍室用冷却器ファン３４は停止しているが、切替室用ファン３６は、切替室温度センサ４２の温度を検知して、切替室用ファン停止温度Ｔｓｆｏｆｆ６１以下になると切替室用ファンの運転を停止させ、切替室用ファン運転温度Ｔｓｆｏｎ６２以上になると切替室用ファンの運転を開始する。また、切替室用ダンパ装置４０ａは、切替室温度センサ４２の温度を検知して、切替室用ダンパ装置全閉温度Ｔｓｏｆｆ６７以下になると切替室用ダンパ装置４０ａのダンパを全閉にさせ、切替室用ダンパ装置ファン開放温度Ｔｓｏｎ６８以上になると切替室用ダンパ装置４０ａの運転を開始する。
【００４１】
なお、製氷室２４が所定温度以下で、かつ、冷蔵室２０が所定温度以上の温度となっている時も、冷蔵温度帯用冷却器の方に冷媒が流れていて、冷凍室２２が冷却されていない状態において、冷凍室用冷却器ファン３４は停止しているが、製氷室用ファン３８は、製氷室温度センサ４４の温度を検知して、製氷室用ファン停止温度Ｔｉｆｏｆｆ６３以下になると製氷室用ファン３８の運転を停止させ、製氷室用ファン運転温度Ｔｉｆｏｎ６４以上になると製氷室用ファン３８の運転を開始する。また、製氷室用ダンパ装置４０ｂは、製氷室温度センサ４４の温度を検知して、製氷室用ダンパ装置全閉温度Ｔｉｏｆｆ６９以下になると製氷室用ダンパ装置４０ｂのダンパを全閉にさせ、製氷室用ダンパ装置ファン開放温度Ｔｉｏｎ７０以上になると製氷室用ダンパ装置４０ｂの運転を開始する。これによって、冷凍室庫内温度が低くなっている時でも、切替室２１や製氷室２４の温度を独立して制御できる。
【００４２】
なお、図１１に示すように、冷凍温度帯用冷却器３３の冷却開始は、切替室用センサ検知温度が切替室用圧縮機運転温度７２以上になるか、または、製氷室用センサ検知温度が製氷室用圧縮機運転温度７４以上になるか、または、冷凍室用センサ検知温度が冷凍室用圧縮機運転温度７６以上になる状態である。
【００４３】
なお、冷凍温度帯用冷却器３３の冷却終了は、切替室用センサ検知温度が切替室用圧縮機停止温度７４以下になり、かつ、製氷室用センサ検知温度が製氷室用圧縮機停止温度７５以下になり、かつ、冷凍室用センサ検知温度が冷凍室用圧縮機停止温度７６以下になる状態である。他の条件としては、各センサが圧縮機停止温度以下にならない時間がＴ１時間以上経過した時に、時間積算タイマ５６により冷凍室の冷却を終了させる事ができる。これにより、製氷室２４と切替室２１と冷凍室２２をそれぞれ独立して冷却が可能になるので、冷却バランスを良化させることができる。
【００４４】
なお、冷凍室用センサ検知温度が冷凍室用圧縮機停止温度７６以下になる状態では冷凍室用冷却器ファンは停止しているが、切替室用センサ検知温度が切替室用圧縮機運転温度７２以上になっているか、または、製氷室用センサ検知温度が製氷室用圧縮機運転温度７４以上になっている時には、切替室用ファン３６や製氷室用ファン３８と切替室用ダンパ装置４０ａ、製氷室用ダンパ装置４０ｂが独立して制御を行う。これにより、冷凍室庫内温度が低く、製氷室２４や切替室２１の温度が高い場合でも、庫内温度が高い部屋だけを冷却することができ、冷却のバランスを崩すことなく庫内温度を制御することができる。
【００４５】
なお、冷凍温度帯用冷却器３３の除霜運転の時には、冷凍室用冷却器ファン３４を停止させ、切替室用ダンパ装置４０ａ・製氷室用ダンパ装置４０ｂの両方とも閉とすることを実施し、これにより除霜時のヒータによる高い温度の空気を切替室２１と製氷室２４に送らないようにすることが可能となるので、各室の温度上昇を抑えることができる。
【産業上の利用可能性】
【００４６】
以上のように、本発明は、冷凍温度帯用冷却器から発生する冷気を製氷室や切替室に十分な風量で供給することが可能になり、冷却速度を高めることができ、冷凍、冷蔵用に２つの冷却器を備えた冷却機器の冷却能力向上策として有用である。
【図面の簡単な説明】
【００４７】
【図１】実施の形態１による冷蔵庫の冷却サイクル及び冷蔵庫の概略図
【図２】本発明による冷蔵庫の同実施の形態の正面図
【図３】本発明の実施の形態１の風路の模式図
【図４】冷蔵庫のブロック図
【図５】切替室用ファンの動作を示すタイミングチャート
【図６】切替室用ダンパ装置の動作を示すタイミングチャート
【図７】製氷室用ファンの動作を示すタイミングチャート
【図８】製氷室用ダンパ装置の動作を示すタイミングチャート
【図９】冷凍室用冷却器ファンの動作を示すタイミングチャート
【図１０】通常運転時のファン・ダンパ装置の動作を示すタイミングチャート
【図１１】通常運転時の圧縮機の動作・冷却器の冷却状態を示すタイミングチャート
【図１２】従来の冷蔵庫の斜視図
【図１３】従来の冷蔵庫の製氷室及び冷凍室の破断正面図
【符号の説明】
【００４８】
１０    冷蔵庫本体
２０    冷蔵室
２１    切替室
２２    冷凍室
２３    野菜室
２４    製氷室
２５    断熱仕切壁
３０    冷蔵温度帯用冷却器
３１    冷蔵室用冷却器ファン
３２    冷蔵室用冷却器室
３３    冷凍温度帯用冷却器
３４    冷凍室用冷却ファン
３５    冷凍室用冷却器室
３６    切替室用ファン
３７    切替室用風路
３８    製氷室用ファン
３９    製氷室用風路
４０    ツインダンパ装置
４０ａ    切替室用ダンパ装置
４０ｂ    製氷室用ダンパ装置
４１    冷蔵室用センサ
４２    切替室用センサ
４３    冷凍室用センサ
４４    製氷室用センサ
４５    圧縮機
５５    制御装置
５６    時間積算タイマ
【図１】
2005172298.tif 000003
【図２】
2005172298.tif 000004
【図３】
2005172298.tif 000005
【図４】
2005172298.tif 000006
【図５】
2005172298.tif 000007
【図６】
2005172298.tif 000008
【図７】
2005172298.tif 000009
【図８】
2005172298.tif 000010
【図９】
2005172298.tif 000011
【図１０】
2005172298.tif 000012
【図１１】
2005172298.tif 000013
【図１２】
2005172298.tif 000014
【図１３】
2005172298.tif 000015